【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
無線ルータであって、
互いに選択的に配置された複数のアンテナであって、前記複数のアンテナの各アンテナが励磁されると、前記無線ルータは円錐の形状で電磁波を最大限に放出するように構成され、前記複数のアンテナから放出された電磁波の対象範囲の領域は、前記無線ルータによって放出された前記電磁波の周波数の関数であり、前記複数のアンテナの各アンテナは各対称軸に対して対称であり、前記各アンテナが、
前記対称軸によって二分された起動パッチであって、励磁電流の受信に応答してブロードサイド方向に電磁波を放出するように構成され、互いにほぼ平行である第１の放射エッジ及び第２の放射エッジを有する、起動パッチと、
前記対称軸によって二分された反射器構成要素であって、前記第１の放射エッジから放出された電磁波を擬似エンドファイヤー方向に反射するよう構成される反射器要素と、
前記起動パッチの前記第２の放射エッジから放出された電磁波を前記擬似エンドファイヤー方向における導くように構成される第１の導波器要素と、
前記起動パッチの前記第２の放射エッジから放出された電磁波を前記擬似エンドファイヤー方向における導くように構成される第２の導波器要素と
を備え、
前記第１の導波器要素と前記第２の導波器要素は、前記対称軸が前記第１の導波器要素と前記第２の導波器要素との間にあるように、前記対称軸の反対側に配置される、複数のアンテナと、
プロセッサと、
前記プロセッサによって実行されるコンポーネントを備えたメモリであって、前記コンポーネントが、
前記無線ルータに関連する複数の無線コンピューティングデバイスの位置を判定するように構成された受信器コンポーネントであって、前記無線コンピューティングデバイスの第１の群は、前記複数のアンテナの第１のアンテナによって主にカバーされた第１の領域に位置し、前記無線コンピューティングデバイスの第２の群は、前記複数のアンテナの第２のアンテナによって主にカバーされた第２の領域に位置し、前記第１の群は前記第２の群より大きい、受信器コンポーネントと、
前記無線コンピューティングデバイスの位置を受信し、前記第１の領域に位置する前記無線コンピューティングデバイスの数および前記第２の領域に位置する前記無線コンピューティングデバイスの数に応じて、前記第１のアンテナに第１の大きさの第１の励磁電流を選択的に提供し、前記第２のアンテナに第２の大きさの第２の励磁電流を選択的に提供するように構成される制御コンポーネントであって、前記第１の大きさは前記第２の大きさより大きい、制御コンポーネントと
を含むメモリと
を備えることを特徴とする無線ルータ。
【請求項２】
前記起動パッチがブロードサイドのラジエーターであることを特徴とする請求項１に記載の無線ルータ。
【請求項３】
前記起動パッチは第１の軸に沿って最大限に電磁波を放出するよう構成され、前記反射器要素は前記第１の軸にほぼ垂直である第２の軸に沿って電磁波を反射するように構成されることを特徴とする請求項１に記載の無線ルータ。
【請求項４】
前記第１の導波器要素および前記第２の導波器要素は前記第２の軸に沿って電磁波を導くように構成されることを特徴とする請求項３に記載の無線ルータ。
【請求項５】
天井に位置付けられるように構成される請求項１に記載の無線ルータ。
【請求項６】
前記複数のアンテナは十字様の構成において構成されることを特徴とする請求項１に記載の無線ルータ。
【請求項７】
前記制御コンポーネントが、前記無線ルータに関連する前記無線コンピューティングデバイスの位置に応じて、前記無線ルータの前記アンテナの少なくとも１つから励磁電流を選択的に取り除くように構成されることを特徴とする請求項６に記載の無線ルータ。
【請求項８】
前記複数のアンテナの各アンテナは、誘電率が６より下の基盤の上に搭載されることを特徴とする請求項１に記載の無線ルータ。
【請求項９】
前記反射器要素の幅は、前記起動パッチの前記第１の放射エッジの幅より大きいことを特徴とする請求項１に記載の無線ルータ。
【請求項１０】
前記反射器要素は、第１の差により前記第１の放射エッジから分離され、前記第１の導波器要素および前記第２の導波器要素は、第２の差により互いに分離され、前記第１の差および前記第２の差の大きさは等しいことを特徴とする請求項１に記載の無線ルータ。
【請求項１１】
前記第１の導波器要素および前記第２の導波器要素は、構成的な干渉によって前記アンテナの利得を増加させるように、前記対称軸の反対側に位置付けられることを特徴とする請求項１に記載の無線ルータ。
【請求項１２】
無線ルータであって、
円錐の形状で電磁波を最大限に生成するように、互いに選択的に配置される複数のアンテナであって、前記複数のアンテナの各アンテナは励磁電流が与えられると、前記円錐のそれぞれの部分を出力するように構成され、前記アンテナの電磁波の対象範囲の領域は、前記アンテナに与えられた前記励磁電流の周波数の関数であり、前記各アンテナは、
前記励磁電流の受信に応答してブロードサイド方向に電磁波を放出するように構成され、互いにほぼ平行である第１の放射エッジ及び第２の放射エッジを有する、起動パッチと、
前記第１の放射エッジから放出された電磁波を擬似エンドファイヤー方向に反射するよう構成される反射器要素と、
前記起動パッチの前記第２の放射エッジから放出された電磁波を前記擬似エンドファイヤー方向における導くように構成される第１の導波器要素と、
前記起動パッチの前記第２の放射エッジから放出された電磁波を前記擬似エンドファイヤー方向における導くように構成される第２の導波器要素と
を備える、複数のアンテナと、
プロセッサと、
前記プロセッサによって実行されるコンポーネントを備えたメモリであって、前記コンポーネントが、
前記無線ルータに関連する複数の無線コンピューティングデバイスの位置を判定するように構成された受信器コンポーネントであって、前記無線コンピューティングデバイスの第１の群は、前記複数のアンテナの第１のアンテナによって主にカバーされた第１の対象範囲の領域に位置し、前記無線コンピューティングデバイスの第２の群は、前記複数のアンテナの第２のアンテナによって主にカバーされた第２の対象範囲の領域に位置し、前記第１の群は前記第２の群より大きい、受信器コンポーネントと、
前記第１の対象範囲の領域に位置する前記無線コンピューティングデバイスの数に応じて、第１の励磁電流が第１の大きさで前記複数のアンテナの前記第１のアンテナを励磁するように構成され、前記第２の対象範囲の領域に位置する前記無線コンピューティングデバイスの数に応じて、第２の励磁電流が第２の大きさで前記複数のアンテナの前記第２のアンテナを励磁するように構成される制御コンポーネントであって、前記第１の大きさは前記第２の大きさより大きい、制御コンポーネントと
を含むメモリと
を備えることを特徴とする無線ルータ。
【請求項１３】
前記複数のアンテナは十字様の構成において配置されることを特徴とする請求項１２に記載の無線ルータ。
【請求項１４】
前記制御コンポーネントは、前記無線ルータに関連する前記無線コンピューティングデバイスの第１の群の位置に応じて、前記第１の励磁電流が第１の周波数を有するように構成されることを特徴とする請求項１２に記載の無線ルータ。
【請求項１５】
８つのアンテナを備えることを特徴とする請求項１２に記載の無線ルータ。
【請求項１６】
前記受信器コンポーネントにより受信された少なくとも１つの位置の指示は、少なくとも１つの無線コンピューティングデバイスのＧＰＳ座標を含むことを特徴とする請求項１２に記載の無線ルータ。